(57)【要約】【課題】プラグ端子をジャック端子に差し込んだ後に容易に引き抜きが可能なプラグコネクタ及びプラグコネクタ用固定部材を提供することを目的とする。特に、複数のプラグ端子を一体的に固定したコネクタを複数のジャック端子に差し込んだ後に容易に引き抜きが可能なプラグコネクタ及びプラグコネクタ用固定部材を提供するこ提供する。【解決手段】このプラグコネクタ１０は、所定間隔に並べて配置された接続対象の複数のジャック端子２１〜２３に接続可能であり各ジャック端子から取り外し可能であり、複数のジャック端子に接続される複数のプラグ端子２１〜２３と、複数のプラグ端子をその外面で所定間隔に対応した間隔で固定する固定部材１９と、を備え、固定部材は、各プラグ端子と各ジャック端子との接続を解除し取り外すときに、その解除を補助する解除補助機構３０を備える。解除補助機構３０によりプラグコネクタを複数のジャック端子から容易に引き抜くことができる。【選択図】  図１
2004281338.tif 000002
【特許請求の範囲】
【請求項１】
接続対象のジャック端子に接続可能でありかつ前記ジャック端子から取り外し可能であるプラグコネクタであって、
前記ジャック端子に接続されるプラグ端子と、前記プラグ端子をその外面で固定する固定部材と、を備え、
前記固定部材は、前記プラグ端子と前記ジャック端子との接続を解除し取り外すとき、その解除を補助する解除補助機構を備えることを特徴とするプラグコネクタ。
【請求項２】
所定間隔に並べて配置された接続対象の複数のジャック端子に接続可能でありかつ前記各ジャック端子から取り外し可能であるプラグコネクタであって、
前記複数のジャック端子に接続される複数のプラグ端子と、前記複数のプラグ端子をその外面で前記所定間隔に対応した間隔で固定する固定部材と、を備え、前記固定部材は、前記各プラグ端子と前記各ジャック端子との接続を解除し取り外すときに、その解除を補助する解除補助機構を備えることを特徴とするプラグコネクタ。
【請求項３】
前記解除補助機構は、前記固定部材の外面に設けられた操作部と、前記操作部の操作と連動して前記ジャック端子側を押し付けるように突き出ることが可能な押し付け部と、を備えることを特徴とする請求項１または２に記載のプラグコネクタ。
【請求項４】
前記操作部は、支点軸を中心に回動することで前記押し付け部を回動させて突き出すことを特徴とする請求項３に記載のプラグコネクタ。
【請求項５】
一対の前記操作部を前記固定部材を挟んで対向するように配置したことを特徴とする請求項３または４に記載のプラグコネクタ。
【請求項６】
所定間隔に並べて配置された接続対象の複数のジャック端子に接続可能でありかつ前記各ジャック端子から取り外し可能であるプラグコネクタのための固定部材であって、
複数のプラグ端子をその外面で前記所定間隔に対応した間隔で固定するとともに、前記各プラグ端子と前記各ジャック端子との接続を解除し取り外すときに、その解除を補助する解除補助機構を備えることを特徴とするプラグコネクタ用固定部材。
【請求項７】
前記各プラグ端子を位置決めして保持してから結合する一対の半割部材を備えることを特徴とする請求項６に記載のプラグコネクタ用固定部材。
【発明の詳細な説明】
【０００１】
【発明の属する技術分野】
本発明は、電子機器同士を接続するためのプラグコネクタ及びプラグコネクタ用固定部材に関する。
【０００２】
【従来の技術】
従来、テレビ等の電子機器にゲーム装置や記録再生装置等の他の電子機器を接続する際には、ピンプラグ端子の付いた電気ケーブルを用いてピンプラグ端子をテレビ等のジャック端子に差し込むことで相互接続しているが、ジャック端子が複数ある場合には、それに応じて複数本の電気ケーブルの各ピンプラグ端子を各ジャック端子に差し込んでいる。複数のピンプラグ端子を一体にまとめて差し込み・引き抜きを一度で行うことのできるコネクタが特許文献１に記載されている。
【０００３】
ところが、ピンプラグ端子とジャック端子との接続時の嵌合がピンプラグの機種の違いや寸法誤差等のためきつくなることがあり、ピンジャック端子の引き抜きに困難を伴うことがある。特に、複数のピンプラグ端子を一体にまとめたコネクタを複数のジャック端子から同時に引き抜くことは更に難しく、引き抜けないと、電気ケーブルを引っ張り等してしまい、電気ケーブルに断線等の損傷が発生し易くなる。
【０００４】
【特許文献１】
特開平７−１０６０２２号公報
【０００５】
【発明が解決しようとする課題】
本発明は、上述のような従来技術の問題に鑑み、プラグ端子をジャック端子に差し込んだ後に容易に引き抜きが可能なプラグコネクタ及びプラグコネクタ用固定部材を提供することを目的とする。特に、複数のプラグ端子を一体的に固定したコネクタを複数のジャック端子に差し込んだ後に容易に引き抜きが可能なプラグコネクタ及びプラグコネクタ用固定部材を提供することを目的とする。
【０００６】
【課題を解決するための手段】
上記目的を達成するために、本発明によるプラグコネクタは、接続対象のジャック端子に接続可能でありかつ前記ジャック端子から取り外し可能であるプラグコネクタであって、前記ジャック端子に接続されるプラグ端子と、前記プラグ端子をその外面で固定する固定部材と、を備え、前記固定部材は、前記プラグ端子と前記ジャック端子との接続を解除し取り外すとき、その解除を補助する解除補助機構を備えることを特徴とする。
【０００７】
このプラグコネクタによれば、固定部材に固定されたプラグ端子がジャック端子に接続されているとき、解除補助機構がプラグ端子とジャック端子との接続解除を補助するので、ジャック端子に接続したプラグ端子を容易に取り外すことができる。
【０００８】
本発明による別のプラグコネクタは、所定間隔に並べて配置された接続対象の複数のジャック端子に接続可能でありかつ前記各ジャック端子から取り外し可能であるプラグコネクタであって、前記複数のジャック端子に接続される複数のプラグ端子と、前記複数のプラグ端子をその外面で前記所定間隔に対応した間隔で固定する固定部材と、を備え、前記固定部材は、前記各プラグ端子と前記各ジャック端子との接続を解除し取り外すときに、その解除を補助する解除補助機構を備えることを特徴とする。
【０００９】
このプラグコネクタによれば、固定部材に固定された複数のプラグ端子がそれぞれ複数のジャック端子に接続されているとき、解除補助機構が複数のプラグ端子と複数のジャック端子との接続解除を補助するので、複数のジャック端子に接続された複数のプラグ端子をまとめて一度に容易に取り外すことができる。また、接続時も複数のプラグ端子を複数のジャック端子に一度に容易に接続することができる。
【００１０】
上記各プラグコネクタにおいて、前記解除補助機構は、前記固定部材の外面に設けられた操作部と、前記操作部の操作と連動して前記ジャック端子側を押し付けるように突き出ることが可能な押し付け部と、を備えることで、両者の接続解除を容易に行うことができる。
【００１１】
この場合、前記操作部は、支点軸を中心に回動することで前記押し付け部を回動させて突き出すように構成することで、接続解除操作を簡単に行うようにできる。また、一対の前記操作部を前記固定部材を挟んで対向するように配置することで、操作が一層簡単となる。
【００１２】
本発明によるプラグコネクタ用固定部材は、所定間隔に並べて配置された接続対象の複数のジャック端子に接続可能でありかつ前記各ジャック端子から取り外し可能であるプラグコネクタのための固定部材であって、複数のプラグ端子をその外面で前記所定間隔に対応した間隔で固定するとともに、前記各プラグ端子と前記各ジャック端子との接続を解除し取り外すときに、その解除を補助する解除補助機構を備えることを特徴とする。
【００１３】
このプラグコネクタ用固定部材によれば、複数のプラグ端子をまとめて一体的に固定部材に固定するので、複数のジャック端子に一度にまとめて接続でき、また接続解除時は、解除補助機構が複数のプラグ端子と複数のジャック端子との接続解除を補助するので、複数のプラグ端子をまとめて一度に容易に引き抜くことができるようになる。
【００１４】
上記プラグコネクタ用固定部材では、前記各プラグ端子を位置決めして保持してから結合する一対の半割部材を備えることが好ましい。これにより、半割部材の一方に複数のプラグ端子を位置決めし保持してから他方の半割部材で結合することにより、既存の複数のプラグ端子で上述のプラグコネクタを簡単に構成することができる。
【００１５】
【発明の実施の形態】
以下、本発明による第１及び第２の実施の形態によるプラグコネクタについて図面を参照して説明する。
【００１６】
〈第１の実施の形態〉
【００１７】
図１（ａ）は本実施の形態によるプラグコネクタの複数のピンプラグ端子を接続可能な複数のジャック端子を示す正面図であり、図１（ｂ）は本実施の形態によるプラグコネクタの平面図であり、図１（ｃ）は図１（ｂ）のプラグコネクタを前面側（ジャック端子側）から見た正面図であり、図１（ｄ）は図１（ｂ）のプラグコネクタの側面図であり、図１（ｅ）は図１（ｂ）のピンプラグ端子が図１（ａ）のジャック端子に差し込まれ接続した状態を示す側面図である。
【００１８】
図２は、図１（ｂ）のプラグコネクタの結合前の固定部材を示す正面図である。図３（ａ）は図１（ｂ）のプラグコネクタの解除補助機構を概略的に示す斜視図であり、図３（ｂ）は図３（ａ）の解除補助機構の動作を説明するための斜視図である。
【００１９】
図１（ｂ）乃至（ｅ）に示すように、プラグコネクタ１０は、固定部材１９により複数のピンプラグ端子１１，１２，１３をまとめて一体的に保持し固定している。
【００２０】
図１（ａ）、（ｂ）、（ｅ）のように、ピンプラグ端子１１，１２，１３は、それぞれ先端側に突き出た細長いプラグ部１１ａ、１２ａ、１３ａ及び各プラグ部がそのほぼ中心に位置するように各プラグ部から離れて設けられた円筒部１１ｂ、１２ｂ、１３ｂをそれぞれ有する。各ピンプラグ端子は、図１（ｅ）のように、プラグ部側が円筒状でその反対側が六角形状の電気絶縁材料からなる外装部１１ｄを備える。
【００２１】
各プラグ部１１ａ、１２ａ、１３ａは、図１（ａ）、（ｅ）の複数のジャック端子２１，２２，２３の孔部２１ａ、２２ａ、２３ａ内にそれぞれ挿入される。各円筒部１１ｂ、１２ｂ、１３ｂは、複数のジャック端子２１，２２，２３の外筒部２１ｂ、２２ｂ、２３ｂにそれぞれ嵌り込んで嵌合する。
【００２２】
ピンプラグ端子１１，１２，１３にはそれぞれ電気ケーブル１１ｃ、１２ｃ、１３ｃが接続されている。また、複数のジャック端子２１，２２，２３は、テレビ等の電子機器の側板２４に一定間隔に並んで固定されており、各ピンプラグ端子１１，１２，１３が接続されると、電気ケーブル１１ｃ、１２ｃ、１３ｃとそれぞれ電気的に接続する。なお、ジャック端子２１，２２，２３は、例えば、それぞれ映像信号用、右側音声信号用及び左側音声信号用である。
【００２３】
図１（ｂ）、（ｃ）、（ｄ）及び図２のように、プラグコネクタ１０の固定部材１９は、全体として略矩方体状に構成され、ヒンジ１７で開閉自在に構成されＰＯＭ等のプラスチック材料からなる一対の半割部材１９ａ、１９ｂと、各半割部材１９ａ、１９ｂの内部に設けられ発泡ウレタン材等の弾性材料からなり各ピンプラグ端子１１，１２，１３を保持するための保持部１８ａ、１８ｂと、を備える。
【００２４】
保持部１８ａは、各ピンプラグ端子の外装部１１ｄ（図１（ｅ））の外形の略半分の形状に対応して形成された凹部１５ａ，１５ｂ，１５ｃを有し、保持部１８ｂは、同様の凹部１６ａ，１６ｂ，１６ｃを有する。半割部材１９ａ、１９ｂが回動されてヒンジ１７で閉じられると、保持部１８ａ、１８ｂは、凹部１５ａと１６ａ，凹部１５ｂと１６ｂ，凹部１５ｃと１６ｃがそれぞれ組み合わされて外装部１１ｄ（図１（ｅ））の外形に対応した凹部形状となるように構成されている。
【００２５】
半割部材１９ａ、１９ｂをヒンジ１７で回動して閉じてから、図１（ｃ）のように、ヒンジ１７と反対側の端部において半割部材１９ａ側から差し込まれた細長いビス２０を半割部材１９ｂのビス受部２０ａにねじ込むことで、半割部材１９ａと１９ｂとが一体的に固定される。
【００２６】
なお、図１（ｂ）、（ｃ）のように、固定部材１９で複数のピンプラグ端子１１，１２，１３を固定すると、プラグコネクタ１０における各ピンプラグ端子１１，１２，１３の配置間隔は、図１（ａ）のジャック端子２１，２２，２３と同じ配置間隔になるようになっている。
【００２７】
図１（ｄ）、図３に示すように、固定部材１９は、各ピンプラグ端子１１，１２，１３が各ジャック端子２１，２２，２３に接続された状態のプラグコネクタ１０を取り外し接続を解除するとき、その解除をし易くするように補助するための解除補助機構３０を備える。
【００２８】
解除補助機構３０は、図１（ｄ）、図３のように、固定部材１９の外面に設けられた操作部１４と、複数の軸支持部材３４ａ、３４ｂで軸支され回動する回動軸３１と、回動軸３１と連結し操作部１４の操作により回動軸３１を中心に回動する複数の回動部材３２，３３と、を備える。
【００２９】
回動部材３２，３３は、固定部材１９の前面１９ａで保持部材１８ａ、１８ｂから突き出る先端部３２ａ、３３ａを有し、端部３２ｂ、３３ｂで操作部１４と連結し、図１（ｄ）、図３（ｂ）のように、操作部１４を方向Ｐに押し付けると、回動軸３１を中心に回動し、先端部３２ａ、３３ａが図１（ｄ）の破線のように前面１９ａから更に突き出るようになっている。また、回動部材３２，３３が先端部３２ａ、３３ａで逆に押し付けられると、反対方向に回動し、操作部１４が図３（ａ）の元の位置に戻る。
【００３０】
上述の解除補助機構３０は、図１（ｃ）、（ｄ）のように、一対の操作部１４，１４が固定部材１９の上面及び下面に設けられ、固定部材１９の上面側及び下面側で一対の操作部１４，１４を指で挟んで押し付けることが容易になっている。
【００３１】
次に、図１乃至図３のプラグコネクタ１０の組立について説明する。図２の固定部材１９の半割部材１９ｂに、図１（ｅ）のような複数のピンプラグ端子１１，１２，１３を保持部１８ｂの凹部１６ａ，１６ｂ，１６ｃに差し込むことで位置決めし保持する。次に、半割部材１９ａをヒンジ１７で回動させて保持部１８ａの凹部１５ａ，１５ｂ，１５ｃに複数のピンプラグ端子１１，１２，１３を保持させる。
【００３２】
そして、ビス２０で半割部材１９ａ、１９ｂを締め付け結合することで固定部材１９が複数のピンプラグ端子１１，１２，１３を位置決めして固定する状態となり、図１（ｂ）、（ｃ）のようにプラグコネクタ１０が完成する。
【００３３】
次に、プラグコネクタ１０の動作について図１乃至図３を参照して説明する。図１（ｂ）、（ｃ）のプラグコネクタ１０を図１（ａ）の各ジャック端子２１〜２３に差し込みことで各ピンプラグ１１〜１３を図１（ｅ）のように接続し、両者を電気的に接続する。このように、プラグコネクタ１０により複数のピンプラグ端子１１〜１３をまとめて複数のジャック端子２１〜２３に一度に容易に接続することができる。
【００３４】
次に、プラグコネクタ１０を取り外すときは、図１（ｄ）のように固定部材１９の上下面の操作部１４，１４を指で挟んで方向Ｐに押し付けると、解除補助機構３０の操作部１４は図３（ｂ）のように回動軸３１を中心に回動方向Ｒに回動し、図１（ｄ）の破線のように先端部３２ａ、３３ａが固定部材１９の前面１９ａから突き出すことで、ジャック端子２１〜２３側の側板２４を押し付ける。これにより、プラグコネクタ１０の各ピンプラグ端子１１〜１３がジャック端子２１〜２３側の側板２４から離れるように移動するので、プラグコネクタ１０を更に引っ張ることで複数のピンプラグ端子１１〜１３を複数のジャック端子２１〜２３から一度に容易に取り外すことができる。
【００３５】
以上のように、図１乃至図３のプラグコネクタ１０によれば、解除補助機構３０が複数のピンプラグ端子１１〜１３と複数のジャック端子２１〜２３との接続解除を補助するので、複数のジャック端子２１〜２３に接続された複数のプラグ端子１１〜１３をまとめて一度に容易に取り外すことができる。
【００３６】
特に、両者の接続時に、各ピンプラグ端子１１〜１３の円筒部１１ｂ、１２ｂ、１３ｂと各ジャック端子２１〜２３の外筒部２１ｂ、２２ｂ、２３ｂとが比較的きつく嵌合していても、解除補助機構３０の操作部１４，１４を指で挟んで押し付けるだけの簡単な操作でプラグコネクタ１０を取り外し方向に移動させることができ、両者の嵌合状態を容易に解き放つことができ、プラグコネクタ１０をそのまま引き抜くことで簡単に取り外すことができる。従って、力の比較的弱い子供や老人等でも、プラグコネクタ１０を容易に取り外すことができ、また、無理に電気ケーブルを引っ張ることもないので電気ケーブルの断線等の損傷も起きない。
【００３７】
また、図２の固定部材１９によれば、半割部材１９ｂに複数のピンプラグ端子２１〜２３を位置決めし保持してからビス２０により半割部材１９ａと１９ｂとを結合することにより、既存の複数のピンプラグ端子を用いて上述のプラグコネクタ１０を簡単に構成できる。
【００３８】
〈第２の実施の形態〉
【００３９】
図４（ａ）は本実施の形態によるプラグコネクタの平面図であり、図４（ｂ）は図４（ａ）のプラグコネクタを前面側（ジャック端子側）から見た正面図である。図４（ａ）、（ｂ）のプラグコネクタ６０は、図１乃至図３と比べて解除補助機構の構成が異なるだけであるので、主に解除補助機構について説明する。
【００４０】
図４（ａ）、（ｂ）のプラグコネクタ６０に設けられた解除補助機構７０は、固定部材１９の両側面近傍に一対設けられている。各解除補助機構７０は、固定部材１９の側面で回動軸７３を中心にして回動自在の回動部材７１と、回動部材７１の回動により固定部材１９の前面１９ａから突き出る押し付け部材７２と、を備える。
【００４１】
解除補助機構７０の回動部材７１を、図４（ａ）の固定部材１９の左側面側のように、回動方向ｒに回動させると、押し付け部材７２が固定部材１９の前面１９ａから突き出て図１（ａ）のジャック端子２１〜２３側の側板２４を押し付けるようになっている。また、回動部材７１を回動方向ｒ’に回動させると、図４（ａ）の固定部材１９の右側面側のように押し付け部材７２が前面１９ａから固定部材１９内に退避するようになっている。
【００４２】
図４（ａ）、（ｂ）の解除補助機構７０の動作を説明すると、各解除補助機構７０が図４（ａ）の固定部材１９の右側面側のように回動部材７１が固定部材１９内に入り込んで、押し付け部材７２が退避している状態でプラグコネクタ６０を複数のジャック端子２１〜２３に接続する。
【００４３】
次に、プラグコネクタ６０を取り外すときは、図４（ａ）の固定部材１９の左側面側のように固定部材１９内の回動部材７１を回動方向ｒに回動させて、押し付け部材７２を前面１９ａから突き出す。これにより、プラグコネクタ６０の各ピンプラグ端子１１〜１３がジャック端子２１〜２３側の側板２４から離れるように移動するので、プラグコネクタ６０を更に引っ張ることで複数のピンプラグ端子１１〜１３を複数のジャック端子２１〜２３から一度に容易に取り外すことができる。
【００４４】
以上のように、図４のプラグコネクタ６０によれば、解除補助機構７０が複数のピンプラグ端子１１〜１３と複数のジャック端子２１〜２３との接続解除を補助するので、複数のジャック端子２１〜２３に接続された複数のプラグ端子１１〜１３をまとめて一度に容易に取り外すことができ、図１乃至図３と同様の効果を得ることができる。
【００４５】
以上のように本発明を実施の形態により説明したが、本発明はこれらに限定されるものではなく、本発明の技術的思想の範囲内で各種の変形が可能である。例えば、図１乃至図３のような解除補助機構の回動部材を３以上設けてもよいことは勿論である。また、本発明は、図１乃至図４のようなピンプラグジャック構造に限定されず、他の構成のプラグ・ジャックに適用できることは勿論である。
【００４６】
また、図１乃至図４では、プラグコネクタが３個のピンプラグ端子をまとめて固定する構成とされたが、１個または２個のピンプラグ端子を固定する構成でもよく、また４個以上まとめて固定する構成であってもよい。
【００４７】
また、図１，図４において、ピンプラグ端子１１，１２，１３の電気ケーブル１１ｃ、１２ｃ、１３ｃ側を図１（ａ）、（ｅ）のジャック端子２１〜２３と同様のジャック端子に構成し、このジャック端子に電気ケーブル付きのピンプラグ端子を接続することで図１，図４のプラグコネクタをアダプタ的に使用できるようにしてもよい。
【００４８】
【発明の効果】
本発明によれば、プラグ端子をジャック端子に差し込んだ後に容易に引き抜きが可能なプラグコネクタ及びプラグコネクタ用固定部材を提供できる。また、複数のプラグ端子を一体的に固定したコネクタを複数のジャック端子に差し込んだ後に容易に引き抜きが可能なプラグコネクタ及びプラグコネクタ用固定部材を提供できる。
【図面の簡単な説明】
【図１】図１（ａ）は第１の実施の形態によるプラグコネクタの複数のプラグ端子を接続可能な複数のジャック端子を示す正面図であり、図１（ｂ）は本実施の形態によるプラグコネクタの平面図であり、図１（ｃ）は図１（ｂ）のプラグコネクタを前面側（ジャック端子側）から見た正面図であり、図１（ｄ）は図１（ｂ）のプラグコネクタの側面図である。
【図２】図１（ｂ）のプラグコネクタの結合前の固定部材を示す正面図である。
【図３】図３（ａ）は図１（ｂ）のプラグコネクタの解除補助機構を概略的に示す斜視図であり、図３（ｂ）は図３（ａ）の解除補助機構の動作を説明するための斜視図である。
【図４】図４（ａ）は第２の実施の形態によるプラグコネクタの平面図であり、図４（ｂ）は図４（ａ）のプラグコネクタを前面側（ジャック端子側）から見た正面図である。
【符号の説明】
１０，６０・・・プラグコネクタ
１１〜１３・・・ピンプラグ端子
２１〜２３・・・ジャック端子
１４・・・操作部
１８ａ、１８ｂ・・・保持部
１９・・・固定部材
１９ａ、１９ｂ・・・半割部材
３０・・・解除補助機構
３２，３３・・・回動部材
３２ａ，３３ａ・・・先端部
７０・・・解除補助機構
７１・・・回動部材
７２・・・押し付け部材
【図１】
2004281338.tif 000003
【図２】
2004281338.tif 000004
【図３】
2004281338.tif 000005
【図４】
2004281338.tif 000006